(57)【要約】【課題】伝達情報、送信先電子メールアドレスおよび送信先電話番号を編集中のメールに容易に挿入できる電子メール編集装置を提供すること。【解決手段】使用者の指紋情報を読み取る指紋情報読取手段と、伝達情報に指紋情報を対応付けて記憶する伝達情報記憶手段と、指紋情報読取手段で読み取られた指紋情報および伝達情報記憶手段に記憶された伝達情報に対応する指紋情報を比較する指紋情報比較手段と、この指紋情報比較手段の比較結果に基づいて記憶された伝達情報を選択する伝達情報選択手段と、選択された伝達情報を編集中の電子メールに挿入する伝達情報挿入手段とを備え、指紋情報読取手段で読み取られた指紋情報と伝達情報記憶手段に記憶された指紋情報が一致したとき、伝達情報挿入手段が、一致した指紋情報に対応付けられた伝達情報を編集中の電子メールに挿入するようにした。【選択図】　　　図１
2004005007.tif 000002
【特許請求の範囲】
【請求項１】
使用者の指紋情報を読み取る指紋情報読取手段と、伝達情報に前記指紋情報を対応付けて記憶する伝達情報記憶手段と、前記指紋情報読取手段で読み取られた指紋情報および前記伝達情報記憶手段に記憶された伝達情報に対応する指紋情報を比較する指紋情報比較手段と、この指紋情報比較手段の比較結果に基づいて前記記憶された伝達情報を選択する伝達情報選択手段と、前記選択された伝達情報を編集中の電子メールに挿入する伝達情報挿入手段とを備え、前記指紋情報読取手段で読み取られた指紋情報と前記伝達情報記憶手段に記憶された指紋情報が一致したとき、前記伝達情報挿入手段が、前記一致した指紋情報に対応付けられた伝達情報を編集中の電子メールに挿入するようにしたことを特徴とする電子メール編集装置。
【請求項２】
前記伝達情報は、文字情報と、記号情報と、静止画情報と、動画情報と、音声情報とを含むことを特徴とする請求項１に記載の電子メール編集装置。
【請求項３】
使用者の指紋情報を読み取る指紋情報読取手段と、送信先電子メールアドレスに前記指紋情報を対応付けて記憶する送信先電子メールアドレス記憶手段と、前記指紋情報読取手段で読み取られた指紋情報および前記送信先電子メールアドレス記憶手段に記憶された送信先電子メールアドレスに対応する指紋情報を比較する指紋情報比較手段と、この指紋情報比較手段の比較結果に基づいて前記記憶された送信先電子メールアドレスを選択する送信先電子メールアドレス選択手段と、前記選択された送信先電子メールアドレスを編集中の電子メールに挿入する送信先電子メールアドレス挿入手段とを備え、前記指紋情報読取手段で読み取られた指紋情報と前記伝達情報記憶手段に記憶された指紋情報が一致したとき、前記送信先電子メールアドレス挿入手段が、前記一致した指紋情報に対応付けられた送信先電子メールアドレスを編集中の電子メールに挿入するようにしたことを特徴とする電子メール編集装置。
【請求項４】
使用者の指紋情報を読み取る指紋情報読取手段と、送信先電話番号に前記指紋情報を対応付けて記憶する送信先電話番号記憶手段と、前記指紋情報読取手段で読み取られた指紋情報および前記送信先電話番号記憶手段に記憶された送信先電話番号に対応する指紋情報を比較する指紋情報比較手段と、この指紋情報比較手段の比較結果に基づいて前記記憶された送信先電話番号を選択する送信先電話番号選択手段と、前記選択された送信先電話番号を編集中の電子メールに挿入する送信先電話番号挿入手段とを備え、前記指紋情報読取手段で読み取られた指紋情報と前記伝達情報記憶手段に記憶された指紋情報が一致したとき、前記送信先電話番号挿入手段が、前記一致した指紋情報に対応付けられた送信先電話番号を編集中の電子メールに挿入するようにしたことを特徴とする電子メール編集装置。
【請求項５】
前記伝達情報記憶手段が、前記伝達情報に複数の使用者の指紋情報を対応付けて記憶するようにしたことを特徴とする請求項１または請求項２に記載の電子メール編集装置。
【請求項６】
前記送信先電子メールアドレス記憶手段が、前記送信先電子メールアドレスに複数の使用者の指紋情報を対応付けて記憶するようにしたことを特徴とする請求項３に記載の電子メール編集装置。
【請求項７】
前記送信先電話番号記憶手段が、前記送信先電話番号に複数の使用者の指紋情報を対応付けて記憶するようにしたことを特徴とする請求項４に記載の電子メール編集装置。
【請求項８】
更に、前記指紋情報読取手段を複数備え、前記複数の指紋情報読取手段に入力された使用者の指紋情報を組合せ、前記伝達情報に前記組み合わされた指紋情報を対応付けて記憶するようにしたことを特徴とする請求項１または請求項２に記載の電子メール編集装置。
【請求項９】
更に、前記指紋情報読取手段を複数備え、前記複数の指紋情報読取手段に入力された使用者の指紋情報を組合せ、前記送信先電子メールアドレスに前記組み合わされた指紋情報を対応付けて記憶するようにしたことを特徴とする請求項３に記載の電子メール編集装置。
【請求項１０】
更に、前記指紋情報読取手段を複数備え、前記複数の指紋情報読取手段に入力された使用者の指紋情報を組合せ、前記送信先電話番号に前記組み合わされた指紋情報を対応付けて記憶するようにしたことを特徴とする請求項４に記載の電子メール編集装置。
【請求項１１】
電子メールの編集機能を有する携帯端末に適応したことを特徴とする請求項１から請求項１０までの何れかに記載の電子メール編集装置。
【請求項１２】
使用者の指紋情報を読み取る指紋情報読取手段と、電話番号に前記指紋情報を対応付けて記憶する電話番号記憶手段と、前記指紋情報読取手段で読み取られた指紋情報および前記電話番号記憶手段に記憶された電話番号に対応する指紋情報を比較する指紋情報比較手段と、この指紋情報比較手段の比較結果に基づいて前記記憶された電話番号を選択する電話番号選択手段と、電話番号を発信する電話番号発信手段とを備え、前記指紋情報読取手段で読み取られた指紋情報と前記伝達情報記憶手段に記憶された指紋情報が一致したとき、前記電話番号発信手段が、前記一致した指紋情報に対応付けられた電話番号を発信するようにしたことを特徴とする電話機。
【請求項１３】
使用者の指紋情報を読み取る指紋情報読取工程と、伝達情報に前記指紋情報を対応付けて記憶する伝達情報記憶工程と、前記指紋情報読取工程において読み取られた指紋情報および前記伝達情報記憶工程において記憶された伝達情報に対応する指紋情報を比較する指紋情報比較工程と、この指紋情報比較工程における比較結果に基づいて前記記憶された伝達情報を選択する伝達情報選択工程と、前記選択された伝達情報を編集中の電子メールに挿入する伝達情報挿入工程とを含み、前記指紋情報読取工程で読み取られた指紋情報と前記伝達情報記憶工程において記憶された指紋情報が一致したとき、前記伝達情報挿入工程において、前記一致した指紋情報に対応付けられた伝達情報を編集中の電子メールに挿入するようにしたことを特徴とする電子メール編集方法。
【請求項１４】
前記伝達情報は、文字情報と、記号情報と、静止画情報と、動画情報と、音声情報とを含むことを特徴とする請求項１３に記載の電子メール編集方法。
【請求項１５】
使用者の指紋情報を読み取る指紋情報読取工程と、送信先電子メールアドレスに前記指紋情報を対応付けて記憶する送信先電子メールアドレス記憶工程と、前記指紋情報読取工程において読み取られた指紋情報および前記送信先電子メールアドレス記憶工程において記憶された送信先電子メールアドレスに対応する指紋情報を比較する指紋情報比較工程と、この指紋情報比較工程における比較結果に基づいて前記記憶された送信先電子メールアドレスを選択する送信先電子メールアドレス選択工程と、前記選択された送信先電子メールアドレスを編集中の電子メールに挿入する送信先電子メールアドレス挿入工程とを含み、前記指紋情報読取工程で読み取られた指紋情報と前記送信先電子メールアドレス記憶工程において記憶された指紋情報が一致したとき、前記送信先電子メールアドレス挿入工程において、前記一致した指紋情報に対応付けられた送信先電子メールアドレスを編集中の電子メールに挿入するようにしたことを特徴とする電子メール編集方法。
【請求項１６】
使用者の指紋情報を読み取る指紋情報読取工程と、送信先電話番号に前記指紋情報を対応付けて記憶する送信先電話番号記憶工程と、前記指紋情報読取工程において読み取られた指紋情報および前記送信先電話番号記憶工程において記憶された送信先電話番号に対応する指紋情報を比較する指紋情報比較工程と、この指紋情報比較工程における比較結果に基づいて前記記憶された送信先電話番号を選択する送信先電話番号選択工程と、前記選択された送信先電話番号を編集中の電子メールに挿入する送信先電話番号挿入工程とを含み、前記指紋情報読取工程で読み取られた指紋情報と前記送信先電話番号記憶工程において記憶された指紋情報が一致したとき、前記送信先電話番号挿入工程において、前記一致した指紋情報に対応付けられた送信先電話番号を編集中の電子メールに挿入するようにしたことを特徴とする電子メール編集方法。
【請求項１７】
前記伝達情報記憶工程において、前記伝達情報に複数の使用者の指紋情報を対応付けて記憶するようにしたことを特徴とする請求項１３または請求項１４に記載の電子メール編集方法。
【請求項１８】
前記送信先電子メールアドレス記憶工程において、前記送信先電子メールアドレスに複数の使用者の指紋情報を対応付けて記憶するようにしたことを特徴とする請求項１５に記載の電子メール編集方法。
【請求項１９】
前記送信先電話番号記憶工程において、前記送信先電話番号に複数の使用者の指紋情報を対応付けて記憶するようにしたことを特徴とする請求項１６に記載の電子メール編集方法。
【請求項２０】
使用者の指紋情報を読み取る指紋情報読取工程と、電話番号に前記指紋情報を対応付けて記憶する電話番号記憶工程と、前記指紋情報読取工程で読み取られた指紋情報および前記電話番号記憶工程に記憶された電話番号に対応する指紋情報を比較する指紋情報比較工程と、この指紋情報比較工程の比較結果に基づいて前記記憶された電話番号を選択する電話番号選択工程と、電話番号を発信する電話番号発信工程とを含み、前記指紋情報読取工程において読み取られた指紋情報と前記伝達情報記憶工程において記憶された指紋情報が一致したとき、前記電話番号発信工程において、前記一致した指紋情報に対応付けられた電話番号を発信するようにしたことを特徴とする電話番号発信方法。
【請求項２１】
コンピュータに、使用者の指紋情報を読み取る指紋情報読取工程と、伝達情報に前記指紋情報を対応付けて記憶する伝達情報記憶工程と、前記指紋情報読取工程において読み取られた指紋情報および前記伝達情報記憶工程において記憶された伝達情報に対応する指紋情報を比較する指紋情報比較工程と、この指紋情報比較工程における比較結果に基づいて前記記憶された伝達情報を選択する伝達情報選択工程と、前記選択された伝達情報を編集中の電子メールに挿入する伝達情報挿入工程とを実行させるための電子メール編集プログラム。
【請求項２２】
前記伝達情報は、文字情報と、記号情報と、静止画情報と、動画情報と、音声情報とを含むことを特徴とする請求項２１に記載の電子メール編集プログラム。
【請求項２３】
コンピュータに、使用者の指紋情報を読み取る指紋情報読取工程と、送信先電子メールアドレスに前記指紋情報を対応付けて記憶する送信先電子メールアドレス記憶工程と、前記指紋情報読取工程において読み取られた指紋情報および前記送信先電子メールアドレス記憶工程において記憶された送信先電子メールアドレスに対応する指紋情報を比較する指紋情報比較工程と、この指紋情報比較工程における比較結果に基づいて前記記憶された送信先電子メールアドレスを選択する送信先電子メールアドレス選択工程と、前記選択された送信先電子メールアドレスを編集中の電子メールに挿入する送信先電子メールアドレス挿入工程とを実行させるための電子メール編集プログラム。
【請求項２４】
コンピュータに、使用者の指紋情報を読み取る指紋情報読取工程と、送信先電話番号に前記指紋情報を対応付けて記憶する送信先電話番号記憶工程と、前記指紋情報読取工程において読み取られた指紋情報および前記送信先電話番号記憶工程において記憶された送信先電話番号に対応する指紋情報を比較する指紋情報比較工程と、この指紋情報比較工程における比較結果に基づいて前記記憶された送信先電話番号を選択する送信先電話番号選択工程と、前記選択された送信先電話番号を編集中の電子メールに挿入する送信先電話番号挿入工程とを実行させるための電子メール編集プログラム。
【請求項２５】
前記伝達情報記憶工程において、前記伝達情報に複数の使用者の指紋情報を対応付けて記憶させる処理をコンピュータに実行させるための請求項２１または請求項２２に記載の電子メール編集プログラム。
【請求項２６】
前記送信先電子メールアドレス記憶工程において、前記送信先電子メールアドレスに複数の使用者の指紋情報を対応付けて記憶させる処理をコンピュータに実行させるための請求項２３に記載の電子メール編集プログラム。
【請求項２７】
前記送信先電話番号記憶工程において、前記送信先電話番号に複数の使用者の指紋情報を対応付けて記憶させる処理をコンピュータに実行させるための請求項２４に記載の電子メール編集プログラム。
【請求項２８】
コンピュータに、使用者の指紋情報を読み取る指紋情報読取工程と、電話番号に前記指紋情報を対応付けて記憶する電話番号記憶工程と、前記指紋情報読取工程で読み取られた指紋情報および前記電話番号記憶工程に記憶された電話番号に対応する指紋情報を比較する指紋情報比較工程と、この指紋情報比較工程の比較結果に基づいて前記記憶された電話番号を選択する電話番号選択工程と、電話番号を発信する電話番号発信工程とを実行させるための電話番号発信プログラム。
【発明の詳細な説明】
【０００１】
【発明の属する技術分野】
本発明は、電子メール編集装置、電話機、電子メール編集方法、電話番号発信方法、電子メール編集プログラムおよび電話番号発信プログラムに関し、さらに詳しくは、例えば、簡略化されたキーボードを備え、電子メールの編集および電話番号の発信を行う装置に関するものである。
【０００２】
【従来の技術】
従来、簡略化されたキーボードを備えた電子メール編集装置および電話番号の発信を行う装置としては、携帯端末が知られている。この携帯端末の代表例として、電子メール編集機能を内蔵した携帯電話がある。このような電子メール編集機能を内蔵した携帯電話（以下、単に従来の携帯電話という）は、図８に示すように、電源をオンおよびオフする電源スイッチ１と、メール編集機能のメニュを表示するメニュキー２と、文字、数字および記号を入力する１２個の入力キー３と、メールを表示する表示部４と、表示部４に表示された情報を左右上下に移動させる方向キー５と、入力キー３で入力されたひらがなを漢字に変換する漢字変換キー６と、各種コマンドの決定を入力する決定キー７と、マイクロホン８と、スピーカ９と、アンテナ１０とで構成されている。
【０００３】
ここで、入力キー３は、数字の１または５０音の「あ行」のひらがなを入力する入力キー３１と、数字の２または５０音の「か行」のひらがなを入力する入力キー３２と、数字の３または５０音の「さ行」のひらがなを入力する入力キー３３と、数字の４または５０音の「た行」のひらがなを入力する入力キー３４と、数字の５または５０音の「な行」のひらがなを入力する入力キー３５と、数字の６または５０音の「は行」のひらがなを入力する入力キー３６と、数字の７または５０音の「ま行」のひらがなを入力する入力キー３７と、数字の８または５０音の「や行」のひらがなを入力する入力キー３８と、数字の９または５０音の「ら行」のひらがなを入力する入力キー３９と、数字の０または５０音の「わ行」のひらがなを入力する入力キー３０とで構成されている。また、この入力キー３で入力したひらがな文字は、表示部４に表示され、漢字変換キー６により漢字に変換されるようになっている。
【０００４】
次に、従来の携帯電話におけるメールの編集について、前述の１２個の入力キー３により、文字列「とうきょう」を入力することを例に挙げて説明する。まず、「と」は５０音の「た行」の５番目の文字であるから前述の入力キー３４を５回押すことにより「と」が入力され、表示部４に「と」が表示される。次いで、「う」は５０音の「あ行」の３番目の文字であるから前述の入力キー３３を３回押すことにより「う」が入力され、表示部４に「う」が表示される。以下同様に、「き」は前述の入力キー３２を２回、「ょ」は前述の入力キー３８を６回、「う」は前述の入力キー３３を３回押すことにより、表示部４に「とうきょう」が表示される。次いで、漢字変換キー６を押すことにより「とうきょう」が「東京」に変換され、更に決定キー７を押すことにより漢字変換が確定するようになっている。
【０００５】
以上のように、従来の携帯電話でも、入力キー３により、所望のメッセージを編集中の電子メールに挿入することができた。
【０００６】
【発明が解決しようとする課題】
しかしながら、このような従来の電子メール編集機能を内蔵した携帯電話では、簡略化されたキーボードで文字を入力するので、キーを押す回数が非常に多くなり、文字入力が煩雑になるという問題があった。
【０００７】
本発明は、このような問題を解決するためになされたものであり、文字数の多いメッセージ、送信先メールアドレスおよび送信先電話番号等の場合でも容易に電子メールに挿入することができる電子メール編集装置を提供するものである。
【０００８】
【課題を解決するための手段】
本発明の電子メール編集装置は、使用者の指紋情報を読み取る指紋情報読取手段と、伝達情報に前記指紋情報を対応付けて記憶する伝達情報記憶手段と、前記指紋情報読取手段で読み取られた指紋情報および前記伝達情報記憶手段に記憶された伝達情報に対応する指紋情報を比較する指紋情報比較手段と、この指紋情報比較手段の比較結果に基づいて前記記憶された伝達情報を選択する伝達情報選択手段と、前記選択された伝達情報を編集中の電子メールに挿入する伝達情報挿入手段とを備え、前記指紋情報読取手段で読み取られた指紋情報と前記伝達情報記憶手段に記憶された指紋情報が一致したとき、前記伝達情報挿入手段が、前記一致した指紋情報に対応付けられた伝達情報を編集中の電子メールに挿入する構成を有している。この構成により、指紋情報読取手段で指紋情報を読み取ることにより、一致した指紋情報に対応付けられた伝達情報が編集中の電子メールに挿入されることとなる。
【０００９】
本発明の電子メール編集装置は、前記伝達情報は、文字情報と、記号情報と、静止画情報と、動画情報と、音声情報とを含む構成を有している。この構成により、指紋情報読取手段で指紋情報を読み取ることにより、一致した指紋情報に対応付けられた文字情報、記号情報、静止画情報、動画情報および音声情報のうちの何れか一つまたは２つ以上の情報が編集中の電子メールに挿入されることとなる。
【００１０】
本発明の電子メール編集装置は、使用者の指紋情報を読み取る指紋情報読取手段と、送信先電子メールアドレスに前記指紋情報を対応付けて記憶する送信先電子メールアドレス記憶手段と、前記指紋情報読取手段で読み取られた指紋情報および前記送信先電子メールアドレス記憶手段に記憶された送信先電子メールアドレスに対応する指紋情報を比較する指紋情報比較手段と、この指紋情報比較手段の比較結果に基づいて前記記憶された送信先電子メールアドレスを選択する送信先電子メールアドレス選択手段と、前記選択された送信先電子メールアドレスを編集中の電子メールに挿入する送信先電子メールアドレス挿入手段とを備え、前記指紋情報読取手段で読み取られた指紋情報と前記伝達情報記憶手段に記憶された指紋情報が一致したとき、前記送信先電子メールアドレス挿入手段が、前記一致した指紋情報に対応付けられた送信先電子メールアドレスを編集中の電子メールに挿入する構成を有している。この構成により、指紋情報読取手段で指紋情報を読み取ることにより、一致した指紋情報に対応付けられた送信先電子メールアドレスが編集中の電子メールに挿入されることとなる。
【００１１】
本発明の電子メール編集装置は、使用者の指紋情報を読み取る指紋情報読取手段と、送信先電話番号に前記指紋情報を対応付けて記憶する送信先電話番号記憶手段と、前記指紋情報読取手段で読み取られた指紋情報および前記送信先電話番号記憶手段に記憶された送信先電話番号に対応する指紋情報を比較する指紋情報比較手段と、この指紋情報比較手段の比較結果に基づいて前記記憶された送信先電話番号を選択する送信先電話番号選択手段と、前記選択された送信先電話番号を編集中の電子メールに挿入する送信先電話番号挿入手段とを備え、前記指紋情報読取手段で読み取られた指紋情報と前記伝達情報記憶手段に記憶された指紋情報が一致したとき、前記送信先電話番号挿入手段が、前記一致した指紋情報に対応付けられた送信先電話番号を編集中の電子メールに挿入する構成を有している。この構成により、指紋情報読取手段で指紋情報を読み取ることにより、一致した指紋情報に対応付けられた送信先電話番号が編集中の電子メールに挿入されることとなる。
【００１２】
本発明の電子メール編集装置は、前記伝達情報記憶手段が、前記伝達情報に複数の使用者の指紋情報を対応付けて記憶する構成を有している。この構成により、複数の使用者の指紋情報を指紋情報読取手段で指紋情報を読み取ることにより、一致した指紋情報に対応付けられた伝達情報が編集中の電子メールに挿入されることとなる。
【００１３】
本発明の電子メール編集装置は、前記送信先電子メールアドレス記憶手段が、前記送信先電子メールアドレスに複数の使用者の指紋情報を対応付けて記憶する構成を有している。この構成により、複数の使用者の指紋情報を指紋情報読取手段で指紋情報を読み取ることにより、一致した指紋情報に対応付けられた送信先電子メールアドレスが編集中の電子メールに挿入されることとなる。
【００１４】
本発明の電子メール編集装置は、前記送信先電話番号記憶手段が、前記送信先電話番号に複数の使用者の指紋情報を対応付けて記憶する構成を有している。この構成により、複数の使用者の指紋情報を指紋情報読取手段で指紋情報を読み取ることにより、一致した指紋情報に対応付けられた送信先電話番号が編集中の電子メールに挿入されることとなる。
【００１５】
本発明の電子メール編集装置は、更に、前記指紋情報読取手段を複数備え、前記複数の指紋情報読取手段に入力された使用者の指紋情報を組合せ、前記伝達情報に前記組み合わされた指紋情報を対応付けて記憶する構成を有している。この構成により、組み合わされた指紋情報を指紋情報読取手段で指紋情報を読み取ることにより、一致した指紋情報に対応付けられた伝達情報が編集中の電子メールに挿入されることとなる。
【００１６】
本発明の電子メール編集装置は、更に、前記指紋情報読取手段を複数備え、前記複数の指紋情報読取手段に入力された使用者の指紋情報を組合せ、前記送信先電子メールアドレスに前記組み合わされた指紋情報を対応付けて記憶する構成を有している。この構成により、組み合わされた指紋情報を指紋情報読取手段で指紋情報を読み取ることにより、一致した指紋情報に対応付けられた送信先電子メールアドレスが編集中の電子メールに挿入されることとなる。
【００１７】
本発明の電子メール編集装置は、更に、前記指紋情報読取手段を複数備え、前記複数の指紋情報読取手段に入力された使用者の指紋情報を組合せ、前記送信先電話番号に前記組み合わされた指紋情報を対応付けて記憶する構成を有している。この構成により、組み合わされた指紋情報を指紋情報読取手段で指紋情報を読み取ることにより、一致した指紋情報に対応付けられた送信先電話番号が編集中の電子メールに挿入されることとなる。
【００１８】
本発明の電子メール編集装置は、電子メールの編集機能を有する携帯端末に適応する構成を有している。この構成により、指紋情報読取手段で指紋情報を読み取ることにより、一致した指紋情報に対応付けられた伝達情報、送信先電子メールアドレスおよび送信先電話番号が編集中の電子メールに挿入できる携帯端末が提供されることとなる。
【００１９】
本発明の電話機は、使用者の指紋情報を読み取る指紋情報読取手段と、電話番号に前記指紋情報を対応付けて記憶する電話番号記憶手段と、前記指紋情報読取手段で読み取られた指紋情報および前記電話番号記憶手段に記憶された電話番号に対応する指紋情報を比較する指紋情報比較手段と、この指紋情報比較手段の比較結果に基づいて前記記憶された電話番号を選択する電話番号選択手段と、電話番号を発信する電話番号発信手段とを備え、前記指紋情報読取手段で読み取られた指紋情報と前記伝達情報記憶手段に記憶された指紋情報が一致したとき、前記電話番号発信手段が、前記一致した指紋情報に対応付けられた電話番号を発信する構成を有している。この構成により、指紋情報読取手段で指紋情報を読み取ることにより、一致した指紋情報に対応付けられた電話番号が得られる電話機が提供されることとなる。
【００２０】
本発明の電子メール編集方法は、使用者の指紋情報を読み取る指紋情報読取工程と、伝達情報に前記指紋情報を対応付けて記憶する伝達情報記憶工程と、前記指紋情報読取工程において読み取られた指紋情報および前記伝達情報記憶工程において記憶された伝達情報に対応する指紋情報を比較する指紋情報比較工程と、この指紋情報比較工程における比較結果に基づいて前記記憶された伝達情報を選択する伝達情報選択工程と、前記選択された伝達情報を編集中の電子メールに挿入する伝達情報挿入工程とを含み、前記指紋情報読取工程で読み取られた指紋情報と前記伝達情報記憶工程において記憶された指紋情報が一致したとき、前記伝達情報挿入工程において、前記一致した指紋情報に対応付けられた伝達情報を編集中の電子メールに挿入する構成を有している。この構成により、指紋情報読取工程で指紋情報を読み取ることにより、一致した指紋情報に対応付けられた伝達情報が編集中の電子メールに挿入されることとなる。
【００２１】
本発明の電子メール編集方法は、前記伝達情報は、文字情報と、記号情報と、静止画情報と、動画情報と、音声情報とを含む構成を有している。この構成により、指紋情報読取工程で指紋情報を読み取ることにより、一致した指紋情報に対応付けられた伝達情報が編集中の電子メールに挿入されることとなる。
【００２２】
本発明の電子メール編集方法は、使用者の指紋情報を読み取る指紋情報読取工程と、送信先電子メールアドレスに前記指紋情報を対応付けて記憶する送信先電子メールアドレス記憶工程と、前記指紋情報読取工程において読み取られた指紋情報および前記送信先電子メールアドレス記憶工程において記憶された送信先電子メールアドレスに対応する指紋情報を比較する指紋情報比較工程と、この指紋情報比較工程における比較結果に基づいて前記記憶された送信先電子メールアドレスを選択する送信先電子メールアドレス選択工程と、前記選択された送信先電子メールアドレスを編集中の電子メールに挿入する送信先電子メールアドレス挿入工程とを含み、前記指紋情報読取工程で読み取られた指紋情報と前記送信先電子メールアドレス記憶工程において記憶された指紋情報が一致したとき、前記送信先電子メールアドレス挿入工程において、前記一致した指紋情報に対応付けられた送信先電子メールアドレスを編集中の電子メールに挿入する構成を有している。この構成により、指紋情報読取工程で指紋情報を読み取ることにより、一致した指紋情報に対応付けられた送信先電子メールアドレスが編集中の電子メールに挿入されることとなる。
【００２３】
本発明の電子メール編集方法は、使用者の指紋情報を読み取る指紋情報読取工程と、送信先電話番号に前記指紋情報を対応付けて記憶する送信先電話番号記憶工程と、前記指紋情報読取工程において読み取られた指紋情報および前記送信先電話番号記憶工程において記憶された送信先電話番号に対応する指紋情報を比較する指紋情報比較工程と、この指紋情報比較工程における比較結果に基づいて前記記憶された送信先電話番号を選択する送信先電話番号選択工程と、前記選択された送信先電話番号を編集中の電子メールに挿入する送信先電話番号挿入工程とを含み、前記指紋情報読取工程で読み取られた指紋情報と前記送信先電話番号記憶工程において記憶された指紋情報が一致したとき、前記送信先電話番号挿入工程において、前記一致した指紋情報に対応付けられた送信先電話番号を編集中の電子メールに挿入する構成を有している。この構成により、指紋情報読取工程で指紋情報を読み取ることにより、一致した指紋情報に対応付けられた送信先電話番号が編集中の電子メールに挿入されることとなる。
【００２４】
本発明の電子メール編集方法は、前記伝達情報記憶工程において、前記伝達情報に複数の使用者の指紋情報を対応付けて記憶する構成を有している。この構成により、複数の使用者の指紋情報を指紋情報読取工程で指紋情報を読み取ることにより、一致した指紋情報に対応付けられた伝達情報が編集中の電子メールに挿入されることとなる。
【００２５】
本発明の電子メール編集方法は、前記送信先電子メールアドレス記憶工程において、前記送信先電子メールアドレスに複数の使用者の指紋情報を対応付けて記憶する構成を有している。この構成により、複数の使用者の指紋情報を指紋情報読取工程で指紋情報を読み取ることにより、一致した指紋情報に対応付けられた送信先電子メールアドレスが編集中の電子メールに挿入されることとなる。
【００２６】
本発明の電子メール編集方法は、前記送信先電話番号記憶工程において、前記送信先電話番号に複数の使用者の指紋情報を対応付けて記憶する構成を有している。この構成により、複数の使用者の指紋情報を指紋情報読取工程で指紋情報を読み取ることにより、一致した指紋情報に対応付けられた送信先電話番号が編集中の電子メールに挿入されることとなる。
【００２７】
本発明の電話番号発信方法は、使用者の指紋情報を読み取る指紋情報読取工程と、電話番号に前記指紋情報を対応付けて記憶する電話番号記憶工程と、前記指紋情報読取工程で読み取られた指紋情報および前記電話番号記憶工程に記憶された電話番号に対応する指紋情報を比較する指紋情報比較工程と、この指紋情報比較工程の比較結果に基づいて前記記憶された電話番号を選択する電話番号選択工程と、電話番号を発信する電話番号発信工程とを含み、前記指紋情報読取工程において読み取られた指紋情報と前記伝達情報記憶工程において記憶された指紋情報が一致したとき、前記電話番号発信工程において、前記一致した指紋情報に対応付けられた電話番号を発信する構成を有している。この構成により、指紋情報読取工程で指紋情報を読み取ることにより、一致した指紋情報に対応付けられた電話番号が発信されることとなる。
【００２８】
本発明の電子メール編集プログラムは、コンピュータに、使用者の指紋情報を読み取る指紋情報読取工程と、伝達情報に前記指紋情報を対応付けて記憶する伝達情報記憶工程と、前記指紋情報読取工程において読み取られた指紋情報および前記伝達情報記憶工程において記憶された伝達情報に対応する指紋情報を比較する指紋情報比較工程と、この指紋情報比較工程における比較結果に基づいて前記記憶された伝達情報を選択する伝達情報選択工程と、前記選択された伝達情報を編集中の電子メールに挿入する伝達情報挿入工程とを実行させる構成を有している。この構成により、コンピュータに、指紋情報読取工程で指紋情報を読み取らせることにより、一致した指紋情報に対応付けられた伝達情報が編集中の電子メールに挿入されることとなる。
【００２９】
本発明の電子メール編集プログラムは、前記伝達情報は、文字情報と、記号情報と、静止画情報と、動画情報と、音声情報とを含む構成を有している。この構成により、コンピュータに、指紋情報読取工程で指紋情報を読み取らせることにより、一致した指紋情報に対応付けられた文字情報、記号情報、静止画情報、動画情報および音声情報のうちの何れか一つまたは２つ以上の情報が編集中の電子メールに挿入されることとなる。
【００３０】
本発明の電子メール編集プログラムは、コンピュータに、使用者の指紋情報を読み取る指紋情報読取工程と、送信先電子メールアドレスに前記指紋情報を対応付けて記憶する送信先電子メールアドレス記憶工程と、前記指紋情報読取工程において読み取られた指紋情報および前記送信先電子メールアドレス記憶工程において記憶された送信先電子メールアドレスに対応する指紋情報を比較する指紋情報比較工程と、この指紋情報比較工程における比較結果に基づいて前記記憶された送信先電子メールアドレスを選択する送信先電子メールアドレス選択工程と、前記選択された送信先電子メールアドレスを編集中の電子メールに挿入する送信先電子メールアドレス挿入工程とを実行させる構成を有している。この構成により、コンピュータに、指紋情報読取工程で指紋情報を読み取らせることにより、一致した指紋情報に対応付けられた送信先電子メールアドレスが編集中の電子メールに挿入されることとなる。
【００３１】
本発明の電子メール編集プログラムは、コンピュータに、使用者の指紋情報を読み取る指紋情報読取工程と、送信先電話番号に前記指紋情報を対応付けて記憶する送信先電話番号記憶工程と、前記指紋情報読取工程において読み取られた指紋情報および前記送信先電話番号記憶工程において記憶された送信先電話番号に対応する指紋情報を比較する指紋情報比較工程と、この指紋情報比較工程における比較結果に基づいて前記記憶された送信先電話番号を選択する送信先電話番号選択工程と、前記選択された送信先電話番号を編集中の電子メールに挿入する構成を有している。この構成により、コンピュータに、指紋情報読取工程で指紋情報を読み取らせることにより、一致した指紋情報に対応付けられた送信先電話番号が編集中の電子メールに挿入されることとなる。
【００３２】
本発明の電子メール編集プログラムは、前記伝達情報記憶工程において、前記伝達情報に複数の使用者の指紋情報を対応付けて記憶させる処理をコンピュータに実行させる構成を有している。この構成により、コンピュータに、複数の使用者の指紋情報を指紋情報読取工程で指紋情報を読み取らせることにより、一致した指紋情報に対応付けられた伝達情報が編集中の電子メールに挿入されることとなる。
【００３３】
本発明の電子メール編集プログラムは、前記送信先電子メールアドレス記憶工程において、前記送信先電子メールアドレスに複数の使用者の指紋情報を対応付けて記憶させる処理をコンピュータに実行させる構成を有している。この構成により、コンピュータに、複数の使用者の指紋情報を指紋情報読取工程で指紋情報を読み取らせることにより、一致した指紋情報に対応付けられた送信先電子メールアドレスが編集中の電子メールに挿入されることとなる。
【００３４】
本発明の電子メール編集プログラムは、前記送信先電話番号記憶工程において、前記送信先電話番号に複数の使用者の指紋情報を対応付けて記憶させる処理をコンピュータに実行させる構成を有している。この構成により、コンピュータに、複数の使用者の指紋情報を指紋情報読取工程で指紋情報を読み取らせることにより、一致した指紋情報に対応付けられた送信先電話番号が編集中の電子メールに挿入されることとなる。
【００３５】
本発明の電話番号発信プログラムは、コンピュータに、使用者の指紋情報を読み取る指紋情報読取工程と、電話番号に前記指紋情報を対応付けて記憶する電話番号記憶工程と、前記指紋情報読取工程で読み取られた指紋情報および前記電話番号記憶工程に記憶された電話番号に対応する指紋情報を比較する指紋情報比較工程と、この指紋情報比較工程の比較結果に基づいて前記記憶された電話番号を選択する電話番号選択工程と、電話番号を発信する電話番号発信工程とを実行させる構成を有している。この構成により、コンピュータに、指紋情報読取工程で指紋情報を読み取らせることにより、一致した指紋情報に対応付けられた電話番号が得られることとなる。
【００３６】
【発明の実施の形態】
以下、本発明の実施の形態について、図面を参照して説明する。
【００３７】
（実施の形態１）
図１は、本発明の第１の実施の形態の電子メール編集装置のブロック図である。図１に示すように、本実施の形態の電子メール編集装置は、使用者の指紋情報を読み取る指紋情報読取手段１０１と、伝達情報に指紋情報を対応付けて記憶する伝達情報記憶手段１０２と、指紋情報読取手段１０１で読み取られた指紋情報および伝達情報記憶手段１０２に記憶された伝達情報に対応する指紋情報を比較する指紋情報比較手段１０３と、この指紋情報比較手段１０３の比較結果に基づいて記憶された伝達情報を選択する伝達情報選択手段１０４と、選択された伝達情報を編集中の電子メールに挿入する伝達情報挿入手段１０５とを備えている。また、前述の伝達情報記憶手段１０２は、伝達情報に対応付けられた指紋情報を記憶する指紋情報記憶部１０２ａと、指紋情報に対応付けられた伝達情報を記憶する伝達情報記憶部１０２ｂとを備えている。ここで、使用者とは、電子メールを編集する編集者をいう。
【００３８】
このような本実施の形態の電子メール編集装置を携帯電話に適応したものは、例えば、図２に示すような外観を有している。図２に示すように、本実施の形態の電子メール編集装置を携帯電話に適応したものは、電源をオンおよびオフする電源スイッチ２０１と、メール編集機能のメニュを表示するメニュキー２０２と、文字、数字および記号を入力する１２個の入力キー２０３と、メールを表示する表示部２０４と、この表示部２０４に表示された情報を左右上下に移動させる方向キー２０５と、入力キー２０３で入力されたひらがなを漢字に変換する漢字変換キー２０６と、各種コマンドの決定を入力する決定キー２０７と、マイクロホン２０８と、スピーカ２０９と、アンテナ２１０と、使用者の指紋を読み取る指紋センサ２１１とを備えている。ここで、指紋センサ２１１は、前述の指紋情報読取手段１０１を構成するものである。
【００３９】
次に本実施の形態の電子メール編集装置の動作について、図１から図３までを参照して説明する。図３は、本実施の形態の電子メール編集装置における電子メール編集工程のフローチャートである。
【００４０】
図３に示すように、まず、ステップＳ３０１において、伝達情報が入力される。ここで、伝達情報とは、文字情報、記号情報、静止画情報、動画情報、音声情報等の情報をいい、電子メール編集者が電子メールを送信する相手に伝達するものである。具体的には、挨拶文、顔文字、絵文字、記号、暗号、写真、アニメーション、音声等がある。次いで、ステップＳ３０２において、前述の伝達情報記憶部１０２ｂに伝達情報が記憶されるようになっている。次いで、ステップＳ３０３において、指紋情報が入力される。この指紋情報は、両手および両足の全ての指の指紋情報を含み、前述の図２に示す指紋センサ２１１に指を接触させることにより、指紋情報が入力されるようになっている。次いで、ステップＳ３０４において、入力された指紋情報が前述の指紋情報記憶部１０２ａに記憶されるようになっている。次いで、ステップＳ３０５において、指紋情報記憶部１０２ａに記憶された指紋情報と伝達情報記憶部１０２ｂに記憶された伝達情報が、前述の伝達情報記憶手段１０２により対応付けられて記憶されるようになっている。次いで、ステップＳ３０６において、更に、伝達情報と指紋情報を対応付けるか否かが判断される。更に、伝達情報と指紋情報を対応付ける場合は、ステップＳ３０１に戻り、前述の工程を繰り返す。一方、伝達情報と指紋情報を対応付けない場合は、伝達情報および指紋情報の入力は終了する。以上のように、指紋情報と対応付けられた伝達情報のデータベースが構築されるようになっている。
【００４１】
続いて、前述のように構築された指紋情報に対応付けられた伝達情報のデータベースを読み出す工程を以下説明する。まず、ステップＳ３０７において、前述の指紋センサ２１１に指を接触させることにより、指紋情報が入力される。次いで、ステップＳ３０８において、入力された指紋情報と一致する指紋情報が指紋情報記憶部１０２ａにあるか否かが判断される。入力された指紋情報と一致する指紋情報が指紋情報記憶部１０２ａにある場合は、ステップＳ３０９に進み、入力された指紋情報と一致する指紋情報が指紋情報記憶部１０２ａにない場合は、ステップＳ３０７に戻る。次いで、ステップＳ３０９において、入力された指紋情報と一致する指紋情報に対応付けられた伝達情報が、前述の伝達情報選択手段１０４によって選択される。次いで、ステップＳ３１０において、選択された伝達情報が、前述の伝達情報挿入手段１０５によって編集中のメールに挿入される。
【００４２】
なお、前述のステップＳ３０３およびステップＳ３０７は指紋情報読取工程を、ステップＳ３０５は伝達情報記憶工程を、ステップＳ３０８は指紋情報比較工程を、ステップＳ３０９は伝達情報選択工程を、ステップＳ３１０は伝達情報挿入工程をそれぞれ構成している。
【００４３】
また、本実施の形態の他の態様として、前述のステップＳ３０７における指紋情報入力前に、表１に示すような伝達情報選択画面を表示し、この中から所望の伝達方法を対応付けられた指紋により選択するようにしてもよい。この表１は、伝達情報選択画面の一例を示したものであり、右手の各指に対応付けられた伝達情報を示している。例えば、右手の中指は「こんばんは」の文字列と、右手の薬指は「〒」の記号が対応付けられており、それぞれの指を前述の指紋センサ２１１に接触させることにより、編集中のメールに対応付けられた伝達情報が挿入されるようになっている。
【００４４】
さらに、前述の表１に示すような各指の単独の指紋情報のみでなく、片手の各指の組合せ、または、両手の指の組合せ等による複数の指紋情報を伝達情報に対応付けてもよい。このように、複数の指紋情報を採用すれば、より多くの伝達情報を対応付けることができる。
【００４５】
さらに、前述の指紋センサ２１１に複数の指を接触させる構成としてもよい。具体的には、指紋センサ２１１を複数設けるか、指紋センサ２１１の指紋読取面積を大きくする等の構成にすればよい。
【００４６】
以上のように、本発明の実施の形態の電子メール編集装置によれば、指紋情報に対応付けて伝達情報を記憶する構成にしたので、指紋情報読取手段１０１に指紋情報を読み取らせることにより、一致した指紋情報に対応付けられた伝達情報を編集中の電子メールに容易に挿入することができる。
【００４７】
（実施の形態２）
図４は、本発明の第２の実施の形態の電子メール編集装置のブロック図である。図４に示すように、本実施の形態の電子メール編集装置は、使用者の指紋情報を読み取る指紋情報読取手段１０１と、送信先電子メールアドレスに指紋情報を対応付けて記憶する送信先電子メールアドレス記憶手段４０１と、指紋情報読取手段１０１で読み取られた指紋情報および送信先電子メールアドレス記憶手段４０１に記憶された送信先電子メールアドレスに対応する指紋情報を比較する指紋情報比較手段１０３と、この指紋情報比較手段１０３の比較結果に基づいて記憶された送信先電子メールアドレスを選択する送信先電子メールアドレス選択手段４０２と、選択された送信先電子メールアドレスを編集中の電子メールに挿入する送信先電子メールアドレス挿入手段４０３とを備えている。また、前述の送信先電子メールアドレス記憶手段４０１は、送信先電子メールアドレスに対応付けられた指紋情報を記憶する指紋情報記憶部４０１ａと、指紋情報に対応付けられた送信先電子メールアドレスを記憶する送信先電子メールアドレス記憶部４０１ｂとを備えている。ここで、使用者とは、電子メールを編集する編集者をいう。
【００４８】
このような本実施の形態の電子メール編集装置を携帯電話に適応したものは、例えば、前述の図２に示すような外観を有している。図２に示すように、本実施の形態の電子メール編集装置を携帯電話に適応したものは、電源をオンおよびオフする電源スイッチ２０１と、メール編集機能のメニュを表示するメニュキー２０２と、文字、数字および記号を入力する１２個の入力キー２０３と、メールを表示する表示部２０４と、この表示部２０４に表示された情報を左右上下に移動させる方向キー２０５と、入力キー２０３で入力されたひらがなを漢字に変換する漢字変換キー２０６と、各種コマンドの決定を入力する決定キー２０７と、マイクロホン２０８と、スピーカ２０９と、アンテナ２１０と、使用者の指紋を読み取る指紋センサ２１１とを備えている。ここで、指紋センサ２１１は、前述の指紋情報読取手段１０１を構成するものである。
【００４９】
次に本実施の形態の電子メール編集装置の動作について、図２から図５までを参照して説明する。図５は、本実施の形態の電子メール編集装置における電子メール編集工程のフローチャートである。
【００５０】
図５に示すように、まず、ステップＳ５０１において、送信先電子メールアドレスが入力される。ここで、送信先電子メールアドレスとは、電子メール編集者がメールを送信する相手の電子メールアドレスをいう。次いで、ステップＳ５０２において、前述の送信先電子メールアドレス記憶部４０１ｂに送信先電子メールアドレスが記憶されるようになっている。次いで、ステップＳ５０３において、指紋情報が入力される。この指紋情報は、両手および両足の全ての指の指紋情報を含み、前述の図２に示す指紋センサ２１１に指を接触させることにより、指紋情報が入力されるようになっている。次いで、ステップＳ５０４において、入力された指紋情報が前述の指紋情報記憶部４０１ａに記憶されるようになっている。次いで、ステップＳ５０５において、指紋情報記憶部４０１ａに記憶された指紋情報と送信先電子メールアドレス記憶部４０１ｂに記憶された送信先電子メールアドレスが、前述の送信先電子メールアドレス記憶手段４０１により対応付けられて記憶されるようになっている。次いで、ステップＳ５０６において、更に、送信先電子メールアドレスと指紋情報を対応付けるか否かが判断される。更に、送信先電子メールアドレスと指紋情報を対応付ける場合は、ステップＳ５０１に戻り、前述の工程を繰り返す。一方、送信先電子メールアドレスと指紋情報を対応付けない場合は、送信先電子メールアドレスおよび指紋情報の入力は終了する。以上のように、指紋情報と対応付けられた送信先電子メールアドレスのデータベースが構築されるようになっている。
【００５１】
続いて、前述のように構築された指紋情報に対応付けられた送信先電子メールアドレスのデータベースを読み出す工程を以下説明する。まず、ステップＳ５０７において、前述の指紋センサ２１１に指を接触させることにより、指紋情報が入力される。次いで、ステップＳ５０８において、入力された指紋情報と一致する指紋情報が指紋情報記憶部４０１ａにあるか否かが判断される。入力された指紋情報と一致する指紋情報が指紋情報記憶部４０１ａにある場合は、ステップＳ５０９に進み、入力された指紋情報と一致する指紋情報が指紋情報記憶部４０１ａにない場合は、ステップＳ５０７に戻る。次いで、ステップＳ５０９において、入力された指紋情報と一致する指紋情報に対応付けられた送信先電子メールアドレスが、前述の送信先電子メールアドレス選択手段４０２によって選択される。次いで、ステップＳ５１０において、選択された送信先電子メールアドレスが、前述の送信先電子メールアドレス挿入手段４０３によって編集中のメールに挿入される。
【００５２】
なお、前述のステップＳ５０３およびステップＳ５０７は指紋情報読取工程を、ステップＳ５０５は送信先電子メールアドレス記憶工程を、ステップＳ５０８は指紋情報比較工程を、ステップＳ５０９は送信先電子メールアドレス選択工程を、ステップＳ５１０は送信先電子メールアドレス挿入工程をそれぞれ構成している。
【００５３】
また、本実施の形態の他の態様として、前述のステップＳ５０７における指紋情報入力前に、表２に示すような送信先電子メールアドレス選択画面を表示し、この中から所望の送信先電子メールアドレスを対応付けられた指紋により選択するようにしてもよい。この表２は、送信先電子メールアドレス選択画面の一例を示したものであり、右手の各指に対応付けられた送信先電子メールアドレスを示している。例えば、右手の中指には「ｚｘｃｖ＠ｂｎｍ．ｃｏｍ」の送信先電子メールアドレスが対応付けられており、右手の中指を前述の指紋センサ２１１に接触させることにより、編集中のメールにこの送信先電子メールアドレスが挿入されるようになっている。
【００５４】
さらに、前述の表２に示すような各指の単独の指紋情報のみでなく、片手の各指の組合せ、または、両手の指の組合せ等による複数の指紋情報を送信先電子メールアドレスに対応付けてもよい。このように、複数の指紋情報を採用すれば、より多くの送信先電子メールアドレスを対応付けることができる。
【００５５】
さらに、前述の指紋センサ２１１に複数の指を接触させる構成としてもよい。具体的には、指紋センサ２１１を複数設けるか、指紋センサ２１１の指紋読取面積を大きくする等の構成にすればよい。
【００５６】
以上のように、本発明の実施の形態の電子メール編集装置によれば、指紋情報に対応付けて送信先電子メールアドレスを記憶する構成にしたので、指紋情報読取手段１０１に指紋情報を読み取らせることにより、一致した指紋情報に対応付けられた送信先電子メールアドレスを編集中の電子メールに容易に挿入することができる。
【００５７】
（実施の形態３）
図６は、本発明の第３の実施の形態の電子メール編集装置のブロック図である。図６に示すように、本実施の形態の電子メール編集装置は、使用者の指紋情報を読み取る指紋情報読取手段１０１と、送信先電話番号に指紋情報を対応付けて記憶する送信先電話番号記憶手段６０１と、指紋情報読取手段１０１で読み取られた指紋情報および送信先電話番号記憶手段６０１に記憶された送信先電話番号に対応する指紋情報を比較する指紋情報比較手段１０３と、この指紋情報比較手段１０３の比較結果に基づいて記憶された送信先電話番号を選択する送信先電話番号選択手段６０２と、選択された送信先電話番号を編集中の電子メールに挿入する送信先電話番号挿入手段６０３とを備えている。また、前述の送信先電話番号記憶手段６０１は、送信先電話番号に対応付けられた指紋情報を記憶する指紋情報記憶部６０１ａと、指紋情報に対応付けられた送信先電話番号を記憶する送信先電話番号記憶部６０１ｂとを備えている。ここで、使用者とは、電子メールを編集する編集者をいう。
【００５８】
このような本実施の形態の電子メール編集装置を携帯電話に適応したものは、例えば、前述の図２に示すような外観を有している。図２に示すように、本実施の形態の電子メール編集装置を携帯電話に適応したものは、電源をオンおよびオフする電源スイッチ２０１と、メール編集機能のメニュを表示するメニュキー２０２と、文字、数字および記号を入力する１２個の入力キー２０３と、メールを表示する表示部２０４と、この表示部２０４に表示された情報を左右上下に移動させる方向キー２０５と、入力キー２０３で入力されたひらがなを漢字に変換する漢字変換キー２０６と、各種コマンドの決定を入力する決定キー２０７と、マイクロホン２０８と、スピーカ２０９と、アンテナ２１０と、使用者の指紋を読み取る指紋センサ２１１とを備えている。ここで、指紋センサ２１１は、前述の指紋情報読取手段１０１を構成するものである。
【００５９】
次に本実施の形態の電子メール編集装置の動作について、図２、図６および図７を参照して説明する。図７は、本実施の形態の電子メール編集装置における電子メール編集工程のフローチャートである。
【００６０】
図７に示すように、まず、ステップＳ７０１において、送信先電話番号が入力される。ここで、送信先電話番号とは、電子メール編集者がメールを送信する相手の電話番号をいう。次いで、ステップＳ７０２において、前述の送信先電話番号記憶部６０１ｂに送信先電話番号が記憶されるようになっている。次いで、ステップＳ７０３において、指紋情報が入力される。この指紋情報は、両手および両足の全ての指の指紋情報を含み、前述の図２に示す指紋センサ２１１に指を接触させることにより、指紋情報が入力されるようになっている。次いで、ステップＳ７０４において、入力された指紋情報が前述の指紋情報記憶部６０１ａに記憶されるようになっている。次いで、ステップＳ７０５において、指紋情報記憶部６０１ａに記憶された指紋情報と送信先電話番号記憶部６０１ｂに記憶された送信先電話番号が、前述の送信先電話番号記憶手段６０１により対応付けられて記憶されるようになっている。次いで、ステップＳ７０６において、更に、送信先電話番号と指紋情報を対応付けるか否かが判断される。更に、送信先電話番号と指紋情報を対応付ける場合は、ステップＳ７０１に戻り、前述の工程を繰り返す。一方、送信先電話番号と指紋情報を対応付けない場合は、送信先電話番号および指紋情報の入力は終了する。以上のように、指紋情報と対応付けられた送信先電話番号のデータベースが構築されるようになっている。
【００６１】
続いて、前述のように構築された指紋情報に対応付けられた送信先電話番号のデータベースを読み出す工程を以下説明する。まず、ステップＳ７０７において、前述の指紋センサ２１１に指を接触させることにより、指紋情報が入力される。次いで、ステップＳ７０８において、入力された指紋情報と一致する指紋情報が指紋情報記憶部６０１ａにあるか否かが判断される。入力された指紋情報と一致する指紋情報が指紋情報記憶部６０１ａにある場合は、ステップＳ７０９に進み、入力された指紋情報と一致する指紋情報が指紋情報記憶部６０１ａにない場合は、ステップＳ７０７に戻る。次いで、ステップＳ７０９において、入力された指紋情報と一致する指紋情報に対応付けられた送信先電話番号が、前述の送信先電話番号選択手段６０２によって選択される。次いで、ステップＳ７１０において、選択された送信先電話番号が、前述の送信先電話番号挿入手段６０３によって編集中のメールに挿入される。
【００６２】
なお、前述のステップＳ７０３およびステップＳ７０７は指紋情報読取工程を、ステップＳ７０５は送信先電話番号記憶工程を、ステップＳ７０８は指紋情報比較工程を、ステップＳ７０９は送信先電話番号選択工程を、ステップＳ７１０は送信先電話番号挿入工程をそれぞれ構成している。
【００６３】
また、本実施の形態の他の態様として、前述のステップＳ７０７における指紋情報入力前に、表３に示すような送信先電話番号選択画面を表示し、この中から所望の送信先電話番号を対応付けられた指紋により選択するようにしてもよい。この表３は、送信先電話番号選択画面の一例を示したものであり、右手の各指に対応付けられた送信先電話番号を示している。例えば、右手の中指には「０８０−１２３４−５６７８」の送信先電話番号が対応付けられており、右手の中指を前述の指紋センサ２１１に接触させることにより、編集中のメールにこの送信先電話番号が挿入されるようになっている。
【００６４】
さらに、前述の表３に示すような各指の単独の指紋情報のみでなく、片手の各指の組合せ、または、両手の指の組合せ等による複数の指紋情報を送信先電話番号に対応付けてもよい。このように、複数の指紋情報を採用すれば、より多くの送信先電話番号を対応付けることができる。
【００６５】
さらに、前述の指紋センサ２１１に複数の指を接触させる構成としてもよい。具体的には、指紋センサ２１１を複数設けるか、指紋センサ２１１の指紋読取面積を大きくする等の構成とすればよい。
【００６６】
以上のように、本発明の実施の形態の電子メール編集装置によれば、指紋情報に対応付けて送信先電話番号を記憶する構成にしたので、指紋情報読取手段１０１に指紋情報を読み取らせることにより、一致した指紋情報に対応付けられた送信先電話番号を編集中の電子メールに容易に挿入することができる。
【００６７】
なお、更に、前述の構成に電話番号を発信できる電話番号発信手段を備えれば、電話番号を発信することができる電話機が構成され、この電話機の指紋情報読取手段に指紋情報を読み取らせることにより、一致した指紋情報に対応付けられた電話番号の発信を容易に行うことができる。
【００６８】
【発明の効果】
以上説明したように、本発明の電子メール編集装置によれば、指紋情報に対応付けて伝達情報、送信先電子メールアドレスおよび送信先電話番号を記憶する構成にしたので、指紋情報読取手段に指紋情報を読み取らせることにより、一致した指紋情報に対応付けられた伝達情報、送信先電子メールアドレスおよび送信先電話番号を編集中の電子メールに容易に挿入することができる。また、本発明の電話機によれば、指紋情報に対応付けて電話番号を記憶する構成にしたので、指紋情報読取手段に指紋情報を読み取らせることにより、一致した指紋情報に対応付けられた電話番号を発信することができる。
【図面の簡単な説明】
【図１】本発明の第１の実施の形態における電子メール編集装置のブロック図
【図２】本発明の電子メール編集装置を適応した携帯電話の外観図
【図３】本発明の第１の実施の形態における電子メール編集装置の電子メール編集工程のフローチャート
【図４】本発明の第２の実施の形態における電子メール編集装置のブロック図
【図５】本発明の第２の実施の形態における電子メール編集装置の電子メール編集工程のフローチャート
【図６】本発明の第３の実施の形態における電子メール編集装置のブロック図
【図７】本発明の第３の実施の形態における電子メール編集装置の電子メール編集工程のフローチャート
【図８】従来のメール編集機能を搭載した携帯電話の外観図
【符号の説明】
１　電源スイッチ
２　メニュキー
３　入力キー
４　表示部
５　方向キー
６　漢字変換キー
７　決定キー
８　マイクロホン
９　スピーカ
１０　アンテナ
１０１　指紋情報読取手段
１０２　伝達情報記憶手段
１０２ａ　指紋情報記憶部
１０２ｂ　伝達情報記憶部
１０３　指紋情報比較手段
１０４　伝達情報選択手段
１０５　伝達情報挿入手段
２０１　電源スイッチ
２０２　メニュキー
２０３　入力キー
２０４　表示部
２０５　方向キー
２０６　漢字変換キー
２０７　決定キー
２０８　マイクロホン
２０９　スピーカ
２１０　アンテナ
２１１　指紋センサ
４０１　送信先電子メールアドレス記憶手段
４０１ａ　指紋情報記憶部
４０１ｂ　送信先電子メールアドレス記憶部
４０２　送信先電子メールアドレス選択手段
４０３　送信先電子メールアドレス挿入手段
６０１　送信先電話番号記憶手段
６０１ａ　指紋情報記憶部
６０１ｂ　送信先電話番号記憶部
６０２　送信先電話番号選択手段
６０３　送信先電話番号挿入手段
【図１】
2004005007.tif 000003
【図２】
2004005007.tif 000004
【図３】
2004005007.tif 000005
【図４】
2004005007.tif 000006
【図５】
2004005007.tif 000007
【図６】
2004005007.tif 000008
【図７】
2004005007.tif 000009
【図８】
2004005007.tif 000010
【手続補正書】
【提出日】平成15年9月19日(2003.9.19)
【手続補正１】
【補正対象書類名】明細書
【補正対象項目名】００４３
【補正方法】変更
【補正の内容】
【００４３】
また、本実施の形態の他の態様として、前述のステップＳ３０７における指紋情報入力前に、表１に示すような伝達情報選択画面を表示し、この中から所望の伝達方法を対応付けられた指紋により選択するようにしてもよい。この表１は、伝達情報選択画面の一例を示したものであり、右手の各指に対応付けられた伝達情報を示している。例えば、右手の中指は「こんばんは」の文字列と、右手の薬指は「〒」の記号が対応付けられており、それぞれの指を前述の指紋センサ２１１に接触させることにより、編集中のメールに対応付けられた伝達情報が挿入されるようになっている。
【表１】
2004005007.tif 000011
【手続補正２】
【補正対象書類名】明細書
【補正対象項目名】００５３
【補正方法】変更
【補正の内容】
【００５３】
また、本実施の形態の他の態様として、前述のステップＳ５０７における指紋情報入力前に、表２に示すような送信先電子メールアドレス選択画面を表示し、この中から所望の送信先電子メールアドレスを対応付けられた指紋により選択するようにしてもよい。この表２は、送信先電子メールアドレス選択画面の一例を示したものであり、右手の各指に対応付けられた送信先電子メールアドレスを示している。例えば、右手の中指には「ｚｘｃｖ＠ｂｎｍ．ｃｏｍ」の送信先電子メールアドレスが対応付けられており、右手の中指を前述の指紋センサ２１１に接触させることにより、編集中のメールにこの送信先電子メールアドレスが挿入されるようになっている。
【表２】
2004005007.tif 000012
【手続補正３】
【補正対象書類名】明細書
【補正対象項目名】００６３
【補正方法】変更
【補正の内容】
【００６３】
また、本実施の形態の他の態様として、前述のステップＳ７０７における指紋情報入力前に、表３に示すような送信先電話番号選択画面を表示し、この中から所望の送信先電話番号を対応付けられた指紋により選択するようにしてもよい。この表３は、送信先電話番号選択画面の一例を示したものであり、右手の各指に対応付けられた送信先電話番号を示している。例えば、右手の中指には「０８０−１２３４−５６７８」の送信先電話番号が対応付けられており、右手の中指を前述の指紋センサ２１１に接触させることにより、編集中のメールにこの送信先電話番号が挿入されるようになっている。
【表３】
2004005007.tif 000013
【手続補正４】
【補正対象書類名】図面
【補正対象項目名】全図
【補正方法】変更
【補正の内容】
【図１】
2004005007.tif 000014
【図２】
2004005007.tif 000015
【図３】
2004005007.tif 000016
【図４】
2004005007.tif 000017
【図５】
2004005007.tif 000018
【図６】
2004005007.tif 000019
【図７】
2004005007.tif 000020
【図８】
2004005007.tif 000021